【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
転相インクであって、
アモルファス化合物であって、以下のいずれかの式の第１の酒石酸エステルを含み、
【化１】
2014084463.tif 000001
式中、Ｒ1、Ｒ2、Ｒ3、Ｒ4およびＲ5は、それぞれ独立してアルキル基であり、ここで、アルキルは、約１〜約４０個の炭素原子を含み、直鎖、分岐鎖または環状、飽和または不飽和、置換または非置換であるか、または置換または非置換の芳香族基またはヘテロ芳香族基、およびこれらの混合物であってもよいアモルファス化合物と、
結晶性化合物であって、以下の式の第２の酒石酸エステルを含み、
【化２】
2014084463.tif 000002
式中、Ｒ19およびＲ20は、それぞれ独立して、低級アルキルおよびアルコキシで置換されてもよいアリールまたはヘテロアリールであり、各ｎは、独立して０〜３である、または、前記結晶性化合物は、以下の式の化合物であり、
【化３】
2014084463.tif 000003
式中、Ｑは、アルカンジイルであり、Ｒ15およびＲ16は、それぞれ独立して、１個以上のアルキルで置換されてもよいフェニルまたはシクロヘキシルであり、ｉは、０または１であり、ｊは、０または１であり、ｐは、１〜４であり、ｑは、１〜４である、結晶性化合物と、
任意要素の分散剤と、
任意要素の共力剤と、
任意要素の着色剤と、
約１０〜約８０個の炭素原子を含むアルキル長鎖を有するアルコールと、を含む、転相インク。
【請求項２】
前記アモルファス化合物が、以下の式の第１の酒石酸エステルを含み、
【化４】
2014084463.tif 000004
式中、Ｒ1、Ｒ2、Ｒ3、Ｒ4およびＲ5は、それぞれ独立してアルキル基であり、ここで、アルキルは、約１〜約４０個の炭素原子を含み、直鎖、分岐鎖または環状、飽和または不飽和、置換または非置換であるか、または置換または非置換の芳香族基またはヘテロ芳香族基、およびこれらの混合物であってもよく、
前記結晶性化合物が、以下の式の第２の酒石酸エステルを含み、
【化５】
2014084463.tif 000005
式中、Ｒ19およびＲ20は、それぞれ独立して、低級アルキルおよびアルコキシで置換されてもよいアリールまたはヘテロアリールであり、各ｎは、独立して０〜３である、請求項１に記載の転相インク。
【請求項３】
前記アモルファス化合物は、Ｌ−酒石酸ビス（２−イソプロピル−５−メチルシクロヘキシル）、（４−ｔ−ブチルシクロヘキシル）（シクロヘキシル）−Ｌ−酒石酸、Ｌ−酒石酸ジ−ＤＬ−メンチル、これらの立体異性体および混合物からなる群から選択される、請求項１に記載の転相インク。
【請求項４】
前記アモルファス化合物が、以下の式の化合物であり、
【化６】
2014084463.tif 000006
式中、Ｒ1およびＲ2は、それぞれ他と独立して、アルキル基からなる群から選択され、ここで、アルキル部分は、約１〜約４０個の炭素原子を含み、直鎖、分岐鎖または環状、飽和または不飽和、置換または非置換であるか、または置換または非置換の芳香族基またはヘテロ芳香族基、およびこれらの混合物である、請求項１に記載の転相インク。
【請求項５】
前記結晶性化合物が、Ｌ−酒石酸ジベンジル、Ｌ−酒石酸ジフェネチル、Ｌ−酒石酸ビス（３−フェニル−１−プロピル）、Ｌ−酒石酸ビス（２−フェノキシエチル）、Ｌ−酒石酸ジフェニル、Ｌ−酒石酸ビス−４−メチルフェニル）、Ｌ−酒石酸ビス（４−メトキシルフェニル）、Ｌ−酒石酸ビス（４−メチルベンジル）、Ｌ−酒石酸ビス（４−メトキシベンジル）、およびこれらの立体異性体および混合物からなる群から選択される、請求項１に記載の転相インク。
【請求項６】
前記結晶性化合物が、以下の式の第２の酒石酸エステルを含み、
【化７】
2014084463.tif 000007
式中、Ｒ19およびＲ２０は、それぞれ独立して、以下のもの
【化８】
2014084463.tif 000008
およびこれらの混合物からなる群から選択され、
【化９】
2014084463.tif 000009
は、化合物に対するＲ19基およびＲ20基の接続点をあらわす、請求項１に記載の転相インク。
【請求項７】
前記結晶性化合物が、以下の式の化合物であり、
【化１０】
2014084463.tif 000010
式中、Ｑは、アルカンジイルであり、Ｒ15およびＲ16は、それぞれ独立して、１個以上のアルキルで置換されてもよいフェニルまたはシクロヘキシルであり、ｉは、０または１であり、ｊは、０または１であり、ｐは、１〜４であり、ｑは、１〜４である、請求項１に記載の転相インク。
【請求項８】
前記結晶性化合物が、前記転相インクの合計重量の約６０〜約９５重量％の量で存在する、請求項１に記載の転相インク。
【請求項９】
前記アモルファス化合物が、前記転相インクの合計重量の約５〜約４０重量％の量で存在する、請求項１に記載の転相インク。
【請求項１０】
前記分散剤が、以下の式の化合物
【化１１】
2014084463.tif 000011
またはその混合物であり、式中、ＲおよびＲ’は、同じであるか、または異なっており、ＲおよびＲ’は、独立して、約３７個の炭素原子を含む直鎖アルキル基および約４７個の炭素原子を含む直鎖アルキル基から選択され、ｍは、約１〜約３０の整数である、請求項１に記載の転相インク。
【請求項１１】
前記共力剤が、以下の式の化合物であり、
【化１２】
2014084463.tif 000012
式中、Ａ、Ｂ、Ｃ、およびＤ、Ａ’、Ｂ’、Ｃ’、およびＤ’、Ａ”、Ｂ”、Ｃ”、およびＤ”、およびＡ’”、Ｂ’”、Ｃ’”、およびＤ’”は、それぞれ独立して、水素、ＳＯ3Ｈ、およびＳＯ3-からなる群から選択され、
Ｒは、水素およびアルキル基からなる群から選択され、
前記共力剤が、ｎが０、１、２、３、４またはそれ以上の混合物である、またはｎが０、１、および２の混合物である、化合物の混合物を含む、請求項１に記載の転相インク。
【請求項１２】
前記着色剤が顔料である、請求項１に記載の転相インク。
【請求項１３】
前記アルコールが、直鎖一級アルコールまたは二級アルコールである、請求項１に記載の転相インク。
【請求項１４】
前記アルコールが、約１５〜約６０個の炭素原子を含むアルキル長鎖を有する直鎖一級アルコールである、請求項１に記載の転相インク。
【請求項１５】
前記アルコールが、約２０〜約５５個の炭素原子を含むアルキル長鎖を有する直鎖一級アルコールである、請求項１に記載の転相インク。
【請求項１６】
前記アルコールが、融点が約７０〜約１３０℃の直鎖一級アルコールである、請求項１に記載の転相インク。
【請求項１７】
前記アルコールが、１５０℃の温度での粘度が約１〜約１０センチポイズである直鎖一級アルコールである、請求項１に記載の転相インク。
【請求項１８】
前記アルコールが、ヒドロキシル価が約３０〜約１８０ｍｇ  ＫＯＨ／サンプル（ｇ）である直鎖一級アルコールである、請求項１に記載の転相インク。
【請求項１９】
アモルファス化合物と、結晶性化合物と、任意要素の分散剤と、任意要素の共力剤と、任意要素の着色剤と、約１０〜約８０個の炭素原子を含むアルキル長鎖を有するアルコールと、を含む転相インクであって、
前記アモルファス化合物が、以下のいずれかの式の第１の酒石酸エステルを含み、
【化１３】
2014084463.tif 000013
式中、Ｒ1、Ｒ2、Ｒ3、Ｒ4およびＲ5は、それぞれ独立してアルキル基であり、ここで、アルキルは、約１〜約４０個の炭素原子を含み、直鎖、分岐鎖または環状、飽和または不飽和、置換または非置換であるか、または置換または非置換の芳香族基またはヘテロ芳香族基、およびこれらの混合物であってもよく、
前記結晶性化合物が、以下の式の第２の酒石酸エステルを含み、
【化１４】
2014084463.tif 000014
式中、Ｒ19およびＲ20は、それぞれ独立して、低級アルキルおよびアルコキシで置換されてもよいアリールまたはヘテロアリールであり、各ｎは、独立して０〜３である、または、前記結晶性化合物は、以下の式の化合物であり、
【化１５】
2014084463.tif 000015
式中、Ｑは、アルカンジイルであり、Ｒ15およびＲ16は、それぞれ独立して、１個以上のアルキルで置換されてもよいフェニルまたはシクロヘキシルであり、ｉは、０または１であり、ｊは、０または１であり、ｐは、１〜４であり、ｑは、１〜４である転相インクを含有する、インクジェットプリンターのスティックまたはペレット。
【請求項２０】
アモルファス化合物と、結晶性化合物と、任意要素の分散剤と、任意要素の共力剤と、任意要素の着色剤と、約１０〜約８０個の炭素原子を含むアルキル長鎖を有するアルコールとを含む転相インクをインクジェット印刷装置に組み込むことであって、
前記アモルファス化合物が、以下のいずれかの式の第１の酒石酸エステルを含み、
【化１６】
2014084463.tif 000016
式中、Ｒ1、Ｒ2、Ｒ3、Ｒ4およびＲ5は、それぞれ独立してアルキル基であり、ここで、アルキルは、約１〜約４０個の炭素原子を含み、直鎖、分岐鎖または環状、飽和または不飽和、置換または非置換であるか、または置換または非置換の芳香族基またはヘテロ芳香族基、およびこれらの混合物であってもよく、
前記結晶性化合物が、以下の式の第２の酒石酸エステルを含み、
【化１７】
2014084463.tif 000017
式中、Ｒ19およびＲ20は、それぞれ独立して、低級アルキルおよびアルコキシで置換されてもよいアリールまたはヘテロアリールであり、各ｎは、独立して０〜３である、または、前記結晶性化合物は、以下の式の化合物であり、
【化１８】
2014084463.tif 000018
式中、Ｑは、アルカンジイルであり、Ｒ15およびＲ16は、それぞれ独立して、１個以上のアルキルで置換されてもよいフェニルまたはシクロヘキシルであり、ｉは、０または１であり、ｊは、０または１であり、ｐは、１〜４であり、ｑは、１〜４である、転相インクをインクジェット印刷装置に組み込むことと、
このインクを溶融させることと、
溶融したインクの液滴を、基材の上に画像のパターンになるように放出させることと、を含む、方法。